(57)【要約】【課題】強度・剛性を確保しつつ軽量・コンパクト化を図ると共に、低コスト化を図った車輪用軸受装置を提供する。【解決手段】ハブ輪４’が一端部に車輪を取り付けるための車輪取付フランジ６’を一体に有する車輪用軸受装置において、車輪取付フランジ６’が、鍛造加工によりアウター側の側面６ｄに円周等配に穿設されたハブボルト挿通孔６ｂの周辺を避けてハブボルト挿通孔６ｂ間に、このハブボルト挿通孔６ｂのピッチ円直径より内径側まで切欠きを有する花形形状に形成されると共に、車輪取付フランジ６’の外周縁に、軸方向寸法が１〜５ｍｍの範囲に設定された面取り部１５が形成されている。これにより、車輪取付フランジ６’のアウター側の側面６ｄを旋削工程で所望の寸法に形成しても、側面６ｄの外周縁にバリが発生して側面６ｄ側に捲くれ込むことはなく、旋削工程におけるバリ除去が不要となる。【選択図】図４
2007145203.tif 000002
【特許請求の範囲】
【請求項１】
内周に複列の外側転走面が形成された外方部材と、
アウトボード側の端部に車輪取付フランジを一体に有し、外周に軸方向に延びる小径段部が形成されたハブ輪、およびこのハブ輪の小径段部に圧入された少なくとも一つの内輪とからなり、外周に前記複列の外側転走面に対向する複列の内側転走面が形成された内方部材と、
前記両転走面間に転動自在に収容された複列の転動体とを備えた車輪用軸受装置において、
前記車輪取付フランジの外周縁に、鍛造加工により所定の面取り部が形成されていることを特徴とする車輪用軸受装置。
【請求項２】
前記面取り部の軸方向寸法が１〜５ｍｍの範囲に設定されている請求項１に記載の車輪用軸受装置。
【請求項３】
前記車輪取付フランジが、アウター側の側面に円周等配に穿設されたハブボルト挿通孔の周辺を避けて該ハブボルト挿通孔間に、このハブボルト挿通孔のピッチ円直径より内径側まで切欠きを有する花形形状に形成されている請求項１または２に記載の車輪用軸受装置。
【請求項４】
前記車輪取付フランジが、円板状に形成されて周方向等配にハブボルトが圧入されるハブボルト挿通孔が穿設され、これらハブボルト挿通孔を含んで、鍛造加工によりフランジ基部から放射状に延びて肉厚が厚くされたリブ部が形成されると共に、当該リブ部の端部に所定の面取り部が形成されている請求項１または２に記載の車輪用軸受装置。
【請求項５】
前記外方部材が、外周に懸架装置に取り付けられる車体取付フランジを一体に有し、この車体取付フランジが、この外周部に複数のボルト挿通孔が穿設され、鍛造加工により当該ボルト挿通孔の近傍を除く部分を切欠いて、各ボルト挿通孔の形成部分だけが外径側に放射状に突出する形状に形成されていると共に、前記車体取付フランジの外周縁に、所定の面取り部が形成されている請求項１乃至４にいずれか記載の車輪用軸受装置。
【発明の詳細な説明】
【技術分野】
【０００１】
本発明は、自動車等の車輪を懸架装置に対して回転自在に支承する車輪用軸受装置、特に、装置の軽量・コンパクト化と共に、低コスト化を図った車輪用軸受装置に関するものである。
【背景技術】
【０００２】
近年、省資源あるいは公害等の面から燃費向上に対する要求は厳しいものがある。自動車部品において、中でも車輪軸受装置の軽量化はこうした要求に応える要因として注目され、強く望まれて久しい。特に、自動車等の車両の中でも軽四輪あるいはスモールカーをはじめとした軽車両においては、この軽量化に対する要求は益々増大してきている。従来から軽量化を図った車輪用軸受装置に関する提案は種々のものがあるが、それと共に低コスト化を図ることも重要な要因となっている。
【０００３】
図７は、自動車に用いられ、軽量化を図った車輪用軸受装置の一例である。この車輪用軸受装置は駆動輪側に使用される代表的な構造で、ハブ輪５１と複列の転がり軸受５２とがユニット化して構成されている。
【０００４】
車輪用軸受装置のハブ輪５１は鍛造により形成されて中空構造をなし、図示しない車輪を取り付けるための車輪取付フランジ５３を一体に有し、その外周に複列の転がり軸受５２の一方の内側転走面５１ａと、この内側転走面５１ａから軸方向に延びる円筒状の小径段部５１ｂが形成され、内周にトルク伝達用のスプライン５４が形成されている。
【０００５】
前記小径段部５１ｂには、複列の転がり軸受５２の他方の内側転走面５５ａが外周に形成された別体の内輪５５が圧入されている。そして、小径段部５１ｂの端部を径方向外方に塑性変形させて加締部５６が形成され、この加締部５６によって内輪５５がハブ輪５１に対して軸方向に固定されている。
【０００６】
一方、複列の転がり軸受５２を構成する外方部材５７は、懸架装置を構成するナックル５８に固定するための車体取付フランジ５７ｂを一体に有し、内周に前記内側転走面５１ａ、５５ａに対向する複列の外側転走面５７ａ、５７ａが形成されている。このように、複列の転がり軸受５２は、ハブ輪５１と内輪５５と外方部材５７、および両転走面５１ａ、５７ａ、５５ａ、５７ａ間に転動自在に収容された複列のボール５９、５９を備えている。
【０００７】
ハブ輪５１において、車輪取付フランジ５３の円周４箇所等配にハブボルト５３ａが植設され、ブレーキロータ６０および車輪が締結される。このハブ輪５１は、図８に示すように、車輪取付フランジ５３に、ハブボルト５３ａが固定されるボルト挿通孔６１が形成され、このボルト挿通孔６１の周辺を避けて、各ボルト挿通孔６１間において、車輪取付フランジ５３の外周にＲ形状の切欠き部６２が形成されている。
【０００８】
切欠き部６２は、ボルト挿通孔６１のピッチ円直径Ａより内径側で、かつ隣接するボルト挿通孔６１の中心を結ぶ弦Ｂにその最深部６２ａが近接するように形成されている。さらに、車輪取付フランジ５３は、各ボルト挿通孔６１の外周近傍の肉厚が薄くされた薄肉部６３が形成されると共に、各ボルト挿通孔６１を含んで内周側の肉厚は薄くせず、充分な曲げ剛性が得られるように通常の厚肉部６４とされている。これにより、軽量化を図りながらも、車輪取付フランジ５３の曲げ剛性が低下するのを防止している。
【特許文献１】特開２００３−９４９０５号公報
【発明の開示】
【発明が解決しようとする課題】
【０００９】
このような従来の車輪用軸受装置では、軽量化を狙って車輪取付フランジ５３のハブボルト５３ａ間の外周部分を排除して花形形状に形成されると共に、ハブ輪５１のスリム化を図りつつ車輪取付フランジ５３の曲げ剛性が低下するのを防止している。また、図９（ａ）に示すように、ハブ輪５１の鍛造工程では、車輪取付フランジ５３が平坦に形成できるような金型構造になっている。すなわち、車輪取付フランジ５３の外周まで鍛造素材が流動し易いよう、上型６５と下型６６とが、車輪取付フランジ５３の側面６７の位置で僅かな空洞部を介して衝合するように構成されている。その結果、（ｂ）に示すように、車輪取付フランジ５３の外周にバリ６８が発生する。そして、（ｃ）に示すように、鍛造の最終工程にこのバリ６８が型抜き除去されている。
【００１０】
然しながら、車輪取付フランジ５３の側面６７を旋削加工する際、側面６７の外周縁にバリが発生して側面６７側に捲くれ込まないように、別途側面６７の外周縁のバリを除去する必要があった。さらに、車輪取付フランジ５３が花形形状であるが故に、このバリ６８を除去する旋削加工が断続加工となり、工程増しに加えサイクルタイムが長くなって製造コストが高騰する要因となっていた。
【００１１】
本発明は、このような従来の問題に鑑みてなされたもので、強度・剛性を確保しつつ軽量・コンパクト化を図ると共に、低コスト化を図った車輪用軸受装置を提供することを目的とする。
【課題を解決するための手段】
【００１２】
係る目的を達成すべく、本発明のうち請求項１に記載の発明は、内周に複列の外側転走面が形成された外方部材と、アウトボード側の端部に車輪取付フランジを一体に有し、外周に軸方向に延びる小径段部が形成されたハブ輪、およびこのハブ輪の小径段部に圧入された少なくとも一つの内輪とからなり、外周に前記複列の外側転走面に対向する複列の内側転走面が形成された内方部材と、前記両転走面間に転動自在に収容された複列の転動体とを備えた車輪用軸受装置において、前記車輪取付フランジの外周縁に、鍛造加工により所定の面取り部が形成されている。
【００１３】
このように、一端部に車輪を取り付けるための車輪取付フランジを一体に有するハブ輪を備えた車輪用軸受装置において、車輪取付フランジの外周縁に、鍛造加工により所定の面取り部が形成されているので、車輪取付フランジのアウター側の側面を旋削工程で所望の形状・寸法に形成しても、側面の外周縁にバリが発生して側面側に捲くれ込むことはなく、旋削工程におけるバリ除去が不要となる。したがって、強度・剛性を確保しつつ軽量・コンパクト化を図ると共に、工数削減によって低コスト化を図ることができる。
【００１４】
好ましくは、請求項２に記載の発明のように、前記面取り部の軸方向寸法が１〜５ｍｍの範囲に設定されていれば、側面が旋削加工によって削り取られても外周縁に面取り部が残り、バリが発生するのを防止すると共に、外周面がエッジになることなく平坦部が確保できる。
【００１５】
また、請求項３に記載の発明は、前記車輪取付フランジが、アウター側の側面に円周等配に穿設されたハブボルト挿通孔の周辺を避けて該ハブボルト挿通孔間に、このハブボルト挿通孔のピッチ円直径より内径側まで切欠きを有する花形形状に形成されていれば、ハブ輪の強度・剛性を損なうことなく軽量化を達成することができる。
【００１６】
また、請求項４に記載の発明のように、前記車輪取付フランジが、円板状に形成されて周方向等配にハブボルトが圧入されるハブボルト挿通孔が穿設され、これらハブボルト挿通孔を含んで、鍛造加工によりフランジ基部から放射状に延びて肉厚が厚くされたリブ部が形成されると共に、当該リブ部の端部に所定の面取り部が形成されていれば、リブ部の側面を旋削工程で所望の形状・寸法に形成しても、側面の外周縁にバリが発生して側面側に捲くれ込むことはなく、旋削工程におけるバリ除去が不要となる。したがって、ハブ輪の強度・剛性を確保しつつ軽量・コンパクト化を図ると共に、工数削減によって低コスト化を図ることができる。
【００１７】
また、請求項５に記載の発明は、前記外方部材が、外周に懸架装置に取り付けられる車体取付フランジを一体に有し、この車体取付フランジが、この外周部に複数のボルト挿通孔が穿設され、鍛造加工により当該ボルト挿通孔の近傍を除く部分を切欠いて、各ボルト挿通孔の形成部分だけが外径側に放射状に突出する形状に形成されていると共に、前記車体取付フランジの外周縁に、所定の面取り部が形成されていれば、外方部材の強度・剛性を損なうことなく軽量化を達成することができると共に、車体取付フランジの側面を旋削工程で所望の形状・寸法に形成する時、側面の外周縁にバリが発生して側面側に捲くれ込むことはなく、旋削工程におけるバリ除去が不要となる。したがって、強度・剛性を確保しつつ軽量・コンパクト化を図ると共に、工数削減によって低コスト化を図ることができる。
【発明の効果】
【００１８】
本発明に係る車輪用軸受装置は、内周に複列の外側転走面が形成された外方部材と、アウトボード側の端部に車輪取付フランジを一体に有し、外周に軸方向に延びる小径段部が形成されたハブ輪、およびこのハブ輪の小径段部に圧入された少なくとも一つの内輪とからなり、外周に前記複列の外側転走面に対向する複列の内側転走面が形成された内方部材と、前記両転走面間に転動自在に収容された複列の転動体とを備えた車輪用軸受装置において、前記車輪取付フランジの外周縁に、鍛造加工により所定の面取り部が形成されているので、車輪取付フランジのアウター側の側面を旋削工程で所望の形状・寸法に形成する時、側面の外周縁にバリが発生して側面側に捲くれ込むことはなく、旋削工程におけるバリ除去が不要となる。したがって、強度・剛性を確保しつつ軽量・コンパクト化を図ると共に、工数削減によって低コスト化を図ることができる。
【発明を実施するための最良の形態】
【００１９】
外周に懸架装置に取り付けられる車体取付フランジを一体に有し、内周に複列の外側転走面が形成された外方部材と、アウトボード側の端部に車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪とからなる内方部材と、前記両転走面間に転動自在に収容された複列の転動体とを備えた車輪用軸受装置において、前記車輪取付フランジが、鍛造加工によりアウター側の側面に円周等配に穿設されたハブボルト挿通孔の周辺を避けて該ハブボルト挿通孔間に、このハブボルト挿通孔のピッチ円直径より内径側まで切欠きを有する花形形状に形成されると共に、当該車輪取付フランジの外周縁に、軸方向寸法が１〜５ｍｍの範囲に設定された面取り部が形成されている。
【実施例１】
【００２０】
以下、本発明の実施の形態を図面に基いて詳細に説明する。
図１は、本発明に係る車輪用軸受装置の第１の実施形態を示す縦断面図、図２は、図１の側面図、図３（ａ）〜（ｃ）は、ハブ輪の鍛造工程を示す説明図、図４（ａ）は、ハブ輪単体を示す正面図、（ｂ）は、（ａ）のＩＶ−ＩＶ線に沿った拡大横断面図、図５は、外方部材の鍛造工程を示す説明図である。なお、以下の説明では、車両に組み付けた状態で車両の外側寄りとなる側をアウター側（図面左側）、中央寄り側をインナー側（図面右側）という。
【００２１】
この車輪用軸受装置は、従動輪を回転自在に支承する第３世代と称され、内方部材１と外方部材２、および両部材１、２間に転動自在に収容された複列の転動体（ボール）３、３とを備えている。ここで、内方部材１は、ハブ輪４と、このハブ輪４に圧入された内輪５とを指す。
【００２２】
ハブ輪４は、外周のアウター側の端部に放射状に延びる４つに分割された車輪取付フランジ（以下、車輪取付アームと言う）６を一体に有し、この車輪取付アーム６の円周等配位置には車輪を締結するためのハブボルト６ａが植設されている。車輪取付アーム６は、ハブボルト挿通孔６ｂの近傍を除く部分を切欠いて、各ハブボルト挿通孔６ｂの形成部分と略同じ幅でもって、環状の基部、すなわち、ブレーキパイロット部６ｃから放射状に突出して形成されている。これにより、外方部材２をナックルに締結する際に、この車輪取付アーム６に邪魔されることなく、締付工具等にて容易にナックルボルトを締結することができ、組立作業を簡便化することができる。
【００２３】
ハブ輪４の外周には、一方（アウター側）の内側転走面４ａと、この内側転走面４ａから軸方向に延びる小径段部４ｂが形成され、この小径段部４ｂに内輪５が所定のシメシロを介して圧入されている。内輪５の外周には他方（インナー側）の内側転走面５ａが形成されている。そして、小径段部４ｂの端部を径方向外方に塑性変形させて加締部４ｃが形成されている。内輪５はこの加締部４ｃによってハブ輪４に対して軸方向に固定され、所謂セルフリテイン構造をなしている。したがって、ハブ輪４の強度・剛性を確保しつつ、軽量・コンパクト化を図ることができる。また、従来のように内輪をナット等で強固に緊締して予圧量を管理する必要がないため、車両への組込性を簡便にすることができ、長期間その予圧量を維持することができると共に、部品点数を大幅に削減でき、組込性の向上と相俟って低コスト化を達成することができる。なお、本発明に係る車輪用軸受においては、例示した第３世代構造に限らず、例えば、図示はしないが、ハブ輪の小径段部に一対の内輪が圧入される第１または第２世代構造であっても良い。
【００２４】
外方部材２の内周には、内方部材１の複列の内側転走面４ａ、５ａに対向する複列の外側転走面２ａ、２ａが形成され、これら両転走面２ａ、４ａおよび２ａ、５ａ間に保持器７を介して複列の転動体３、３が転動自在に収容されている。また、外方部材２のアウター側の端部にはシール８が装着され、外方部材２と内方部材１との間に形成される環状空間の開口部を密封している。一方、外方部材２のインナー側の端部には、カップ状のシールキャップ（図示せず）が装着され、外方部材２の開口部を閉塞している。これらシール８およびシールキャップにより、軸受内部に封入された潤滑グリースの外部への漏洩と、外部から雨水やダスト等が軸受内部に侵入するのを防止している。
【００２５】
また、外方部材２は、外周に懸架装置を構成するナックル（図示せず）に取り付けられる車体取付フランジ２ｂを一体に有し、この車体取付フランジ２ｂの外周部に複数のボルト挿通孔９が穿設されている。この車体取付フランジ２ｂは、その外周部のうちボルト挿通孔９の近傍を除く部分を切欠いて、各ボルト挿通孔９の形成部分だけが外径側に放射状に突出する形状に形成されている。すなわち、車体取付フランジ２ｂは、円周方向に離れた複数の部分フランジ１０に分割されている。そして、ボルト挿通孔９に貫通するナックルボルト（図示せず）によりナックルに固定される。さらに、外方部材２のインナー側の端部には、前記車体取付フランジ２ｂから軸方向に延びる円筒状のナックルパイロット部２ｃが形成され、このナックルパイロット部２ｃの外径面にナックルが嵌合される。
【００２６】
このように、外方部材２は、外周に放射状に延びる複数の部分フランジ１０からなる車体取付フランジ２ｂが形成されているので、外方部材２の強度・剛性を損なうことなく軽量化を達成することができる。なお、前記ナックルパイロット部２ｃが、その円周方向の複数箇所に切欠きが設けられ、断続して突片状に形成されていても良い。これにより、外方部材２の剛性を低下させることなくさらに軽量化を図ることができる。
【００２７】
ハブ輪４は、Ｓ５３Ｃ等の炭素０．４０〜０．８０ｗｔ％を含む中炭素鋼で形成され、車輪取付アーム６のインボード側の基部および小径段部４ｂに亙り高周波焼入れによって表面硬さを５８〜６４ＨＲＣの範囲に硬化処理されている。なお、加締部４ｃは、鍛造後の素材表面硬さ２５ＨＲＣ以下の未焼入れ部としている。これにより、ハブ輪４の強度・剛性を確保すると共に、内輪５との嵌合面のフレッティング摩耗を防止することができ、ハブ輪４の耐久性が向上する。また、加締部４ｃを塑性変形させる時の加工性が向上し、加工時におけるクラック等の発生を防止して品質の信頼性を向上させることができる。
【００２８】
また、外方部材２は、ハブ輪４と同様、Ｓ５３Ｃ等の炭素０．４０〜０．８０ｗｔ％を含む中炭素鋼で形成され、複列の外側転走面２ａ、２ａが高周波焼入れによって表面硬さを５８〜６４ＨＲＣの範囲に硬化処理されている。一方、内輪５は、ＳＵＪ２等の高炭素クロム軸受鋼からなり、ズブ焼入れにより芯部まで５８〜６４ＨＲＣの範囲で硬化処理されている。なお、ここでは、転動体３、３をボールとした複列アンギュラ玉軸受を例示したが、これに限らず転動体に円錐ころを使用した複列円錐ころ軸受であっても良い。
【００２９】
ここで、本実施形態では、ハブ輪４は、図３に示すような鍛造工程によって製造されている。すなわち、ハブ輪４’は、（ａ）に示すように、内側転走面をはじめ所望の形状の外周面に合致した内周面を有する上型１１ａと、この上型１１ａと軸方向に対向し、所望の形状を有する下型１１ｂとからなる鍛造金型１１によって形成されている。そして、車輪取付アーム６’の外周まで鍛造素材が流動し易いよう、これら上型１１ａと下型１１ｂは、車輪取付アーム６’の外周面で、環状の空洞部１２を介して互いに衝合するように構成されている。これにより、（ｂ）に示すように、ハブ輪４’の車輪取付アーム６’の外周にはヒレ状のバリ１３が形成される。このバリ１３は、（ｃ）に示す最終工程で、抜き型１４によってせん断除去されるが、このような鍛造工程で製造された車輪取付アーム６’の外周の両端部には所定の曲率半径ｒからなる面取り部１５が形成されている。
【００３０】
このような鍛造工程で製造されたハブ輪４’は、図４に示すように、外周面をはじめ車輪取付アーム６’のアウター側の側面６ｄが旋削工程で所望の形状・寸法に形成される。この時、外周の両端部に面取り部１５が形成されているため、側面６ｄの外周縁にバリが発生し、側面６ｄ側に捲くれ込むことはない。したがって、車輪取付アーム６’の側面６ｄのバリ除去が不要となり、工数削減によって低コスト化を図ることができる。
【００３１】
なお、鍛造工程で製造されたハブ輪４’における車輪取付アーム６’の面取り部１５は、軸方向寸法Ｌが１〜５ｍｍ、好ましくは、２〜４ｍｍの範囲に設定されている。すなわち、車輪取付アーム６’の側面６ｄが旋削加工によって通常１ｍｍ程度削り取られるため、軸方向寸法Ｌが少なくとも１ｍｍ必要であると共に、この軸方向寸法１５ａが大きくなり過ぎると、車輪取付アーム６’の外周面の平坦部が少なくなってエッジになるため、上限は５ｍｍに設定されている。
【００３２】
さらに、本実施形態では、外方部材２もハブ輪４と同様、鍛造工程で車体取付フランジ２ｂの部分フランジ１０が、面取り部１７を有する外周に形成されている。すなわち、図５に示すように、ナックルパイロット部をはじめ所望の形状の外周面に合致した内周面を有する上型１６ａと、この上型１６ａと軸方向に対向し、所望の形状を有する下型１６ｂとからなる鍛造金型１６によって形成されている。そして、部分フランジ１０’の外周まで鍛造素材が流動し易いよう、これら上型１６ａと下型１６ｂは、部分フランジ１０’の外周面で、環状の空洞部１８を介して互いに衝合するように構成されている。これにより、外方部材２’の部分フランジ１０’の外周にはヒレ状のバリ１９が形成される。このバリ１９は、図示しない最終工程で、抜き型によってせん断除去されるが、このような鍛造工程で製造された部分フランジ１０’の外周の両端部には所定の曲率半径Ｒからなる面取り部１７が形成されている。
【００３３】
このような鍛造工程で製造された外方部材２’は、外周面をはじめ部分フランジ１０’のインナー側の側面およびナックルパイロット部が旋削工程で所望の形状・寸法に形成される。この時、外周の両端部に面取り部１９が形成されているため、側面の外周縁にバリが発生し、側面側に捲くれ込むことはない。したがって、部分フランジ１０’の側面のバリ除去が不要となり、工数削減によって一層の低コスト化を図ることができる。なお、鍛造工程で製造された外方部材２’における部分フランジ１０’の面取り部１９は、ハブ輪４’と同様、軸方向寸法Ｌが１〜５ｍｍ、好ましくは、２〜４ｍｍの範囲に設定されている。
【００３４】
なお、ここでは、車輪取付フランジとして、環状の基部から放射状に突出するように形成された車輪取付アーム６を例示したが、これに限らず、従来のように、ハブボルト挿通孔の周辺を避けてハブボルト挿通孔間に、このハブボルト挿通孔のピッチ円直径より内径側まで深く切欠きが形成された車輪取付フランジのようなものであっても良い。
【実施例２】
【００３５】
図６（ａ）は、本発明に係る車輪用軸受装置の第２の実施形態におけるハブ輪を示す正面図、（ｂ）は、（ａ）のＶＩ−ＶＩ線に沿った拡大横断面図である。なお、前述した実施形態と同一の部品や部位には同じ符号を付してその重複した説明を省略する。
【００３６】
この車輪用軸受装置のハブ輪２０は、一端部に車輪取付フランジ２１を有し、（ａ）に示すように、車輪取付フランジ２１は円板状に形成され、周方向等配にハブボルト（図示せず）が圧入されるハブボルト挿通孔２２が穿設されている。そして、車輪取付フランジ２１は、外周に向って漸次肉厚が薄くされた薄肉部２３と、各ハブボルト挿通孔２２を含んでフランジ基部から放射状に延び、肉厚が厚くされたリブ部２４とで構成されている。これにより、軽量化を図りながらも、車輪取付フランジ２１の曲げ剛性が低下するのを防止している。ここで、前述した実施形態と同様、車輪取付フランジ２１の外周の両端部に、鍛造工程で面取り（図示せず）が形成されると共に、リブ部２４の端部に所定の曲率半径ｒからなる面取り部２５が形成されている。
【００３７】
鍛造工程で製造されたリブ部２４は、（ｂ）に示すように、側面２４ａが旋削工程で所望の寸法に形成されるが、この面取り部２５は、前述した実施形態と同様、旋削取代等を考慮して、軸方向寸法Ｌが１〜５ｍｍ、好ましくは、２〜４ｍｍの範囲に設定されている。このように、リブ部２４の端部２４ａに面取り部２５が形成されているため、旋削加工において、側面２４ａの外周縁にバリが発生し、側面２４ａ側に捲くれ込むことはない。したがって、リブ部２４の側面２４ａのバリ除去が不要となり、工数削減によって低コスト化を図ることができる。
【００３８】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３９】
本発明に係る車輪用軸受装置は、駆動輪用、従動輪用に拘わらず、車輪取付フランジを一体に有するハブ輪を備えた車輪用軸受装置に適用することができる。
【図面の簡単な説明】
【００４０】
【図１】本発明に係る車輪用軸受装置の第１の実施形態を示す縦断面図である。
【図２】図１の側面図である。
【図３】（ａ）〜（ｃ）は、図１のハブ輪の鍛造工程を示す説明図である。
【図４】（ａ）は、図１のハブ輪単体を示す正面図である。  （ｂ）は、（ａ）のＩＶ−ＩＶ線に沿った拡大横断面図である。
【図５】図１の外方部材の鍛造工程を示す説明図である。
【図６】（ａ）は、本発明に係る車輪用軸受装置の第２の実施形態におけるハブ輪を示す正面図である。  （ｂ）は、（ａ）のＶＩ−ＶＩ線に沿った拡大横断面図である。
【図７】従来の車輪用軸受装置を示す縦断面図である。
【図８】従来のハブ輪単体を示す正面図である。
【図９】（ａ）〜（ｃ）は、図８のハブ輪の鍛造工程を示す説明図である。
【符号の説明】
【００４１】
１・・・・・・・・・・・・・・・・・内方部材
２・・・・・・・・・・・・・・・・・外方部材
２ｂ・・・・・・・・・・・・・・・・車体取付フランジ
２ｃ・・・・・・・・・・・・・・・・ナックルパイロット部
３・・・・・・・・・・・・・・・・・転動体
４、４’、２０・・・・・・・・・・・ハブ輪
４ａ、５ａ・・・・・・・・・・・・・内側転走面
４ｂ・・・・・・・・・・・・・・・・小径段部
４ｃ・・・・・・・・・・・・・・・・加締部
５・・・・・・・・・・・・・・・・・内輪
６、６’・・・・・・・・・・・・・・車輪取付アーム
６ａ・・・・・・・・・・・・・・・・ハブボルト
６ｂ、２２・・・・・・・・・・・・・ハブボルト挿通孔
６ｃ・・・・・・・・・・・・・・・・ブレーキパイロット部
６ｄ、２４ａ・・・・・・・・・・・・側面
７・・・・・・・・・・・・・・・・・保持器
８・・・・・・・・・・・・・・・・・シール
９・・・・・・・・・・・・・・・・・ボルト挿通孔
１０、１０’・・・・・・・・・・・・部分フランジ
１１、１６・・・・・・・・・・・・・鍛造金型
１１ａ、１６ａ・・・・・・・・・・・上型
１１ｂ、１６ｂ・・・・・・・・・・・下型
１２、１８・・・・・・・・・・・・・空洞部
１３、１９・・・・・・・・・・・・・バリ
１４・・・・・・・・・・・・・・・・抜き型
１５、１７、２５・・・・・・・・・・面取り部
２１・・・・・・・・・・・・・・・・車輪取付フランジ
２３・・・・・・・・・・・・・・・・薄肉部
２４・・・・・・・・・・・・・・・・リブ部
５１・・・・・・・・・・・・・・・・ハブ輪
５１ａ、５５ａ・・・・・・・・・・・内側転走面
５１ｂ・・・・・・・・・・・・・・・小径段部
５２・・・・・・・・・・・・・・・・複列の転がり軸受
５３・・・・・・・・・・・・・・・・車輪取付フランジ
５３ａ・・・・・・・・・・・・・・・ハブボルト
５４・・・・・・・・・・・・・・・・スプライン
５５・・・・・・・・・・・・・・・・内輪
５６・・・・・・・・・・・・・・・・加締部
５７・・・・・・・・・・・・・・・・外方部材
５７ａ・・・・・・・・・・・・・・・外側転走面
５７ｂ・・・・・・・・・・・・・・・車体取付部
５８・・・・・・・・・・・・・・・・ナックル
５９・・・・・・・・・・・・・・・・ボール
６０・・・・・・・・・・・・・・・・ブレーキロータ
６１・・・・・・・・・・・・・・・・ボルト挿通孔
６２・・・・・・・・・・・・・・・・切欠き部
６３・・・・・・・・・・・・・・・・薄肉部
６４・・・・・・・・・・・・・・・・厚肉部
６５・・・・・・・・・・・・・・・・上型
６６・・・・・・・・・・・・・・・・下型
６７・・・・・・・・・・・・・・・・側面
６８・・・・・・・・・・・・・・・・バリ
Ａ・・・・・・・・・・・・・・・・・ボルト挿通孔のピッチ円直径
Ｂ・・・・・・・・・・・・・・・・・ボルト挿通孔の中心を結ぶ弦
Ｌ・・・・・・・・・・・・・・・・・面取り部の軸方向寸法
【図１】
2007145203.tif 000003
【図２】
2007145203.tif 000004
【図３】
2007145203.tif 000005
【図４】
2007145203.tif 000006
【図５】
2007145203.tif 000007
【図６】
2007145203.tif 000008
【図７】
2007145203.tif 000009
【図８】
2007145203.tif 000010
【図９】
2007145203.tif 000011